(57)【要約】      （修正有）【課題】エネルギー問題の解決は窮地の地球を救う、唯一の解決方法と言って過言では無い。何億年も費やして生まれた化石燃料やガス等の資源を燃焼焼失し、ＣＯ２、ＳＯＸ、ＮＯＸ等の排出をしている。ウラン、プルトニウムを核分裂利用をしている原子力発電も放射性物質他を排出し、放射性廃棄物の処理、埋設の問題や、天災、人災、テロ、等の危機もありうる。水力、太陽熱風力、地熱による発電は気象条件、立地条件に左右される。地球温暖化問題は１日も早く解決しなければならない。【解決手段】本発明は永久磁石の磁極（Ｎ、Ｓ）の配列で吸引力、反発力が、移動荷重体を左右移動させる。この左右移動が末端の永久磁石と連動し、ソレノイド（円筒コイル）に磁石を出し入れすることで電流が流れる。これが磁力発電システムであり資源の枯渇も害も無く地球温暖化を防止する。【選択図】図１
2009005571.tif 000002
【特許請求の範囲】
【請求項１】
本請求は強力な永久磁石の吸引力と反発力を活用した磁力発電である。図１、図２は磁力発電平面図と側面図（各水平型）である。両図は左右同一の対称型で発電機能を２つ持っている。理由は移動荷重体（強力永久磁石）（図１の１）が左右往復の移動運動をする事が発電に繋がる為で、右移動と左移動の往復する双方の力を無駄なく利用する為である。（当然、片側利用は可能。）移動荷重体（１）を以降荷重体（１）と言う。荷重体（１）に固定された、連係棒（４）の先端には強力な永久磁石Ｃ（５）が付いていて、その先の位置に、ソレノイド（円筒コイル）（６）がある。磁石Ｃ（５）を円筒コイル（６）に出し入れすると電流が流れる。この方法で発電する。荷重体（１）の左右移動は、リニア、システムのガイドレール（１０）上のキャリッジ（推進器）（９）に固定する。リニア、システムの特性として、重量物でも高速、軽快、俊敏に作動し且つ摩擦負荷を軽減させる事である。移動エネルギーは強力な永久磁石の磁力である。移動原理は固定した磁石Ａ（２）とＢ（３）の間に位置するのが荷重体（１）であり、仮に磁石Ａ（２）と吸引し合うと磁極はＳ極とＮ極である。同時にこの吸引力は圧縮コイルバネ（図２の８）をも圧縮する。磁石Ａ（２）と荷重体（１）は接近しても密着しない隙間加工が施してある。（磁石Ｂ（３）側も同じ施しがある。）その隙間へ強力な反発力の磁極をもつ絶縁遮蔽板（７）が差し込む事（ＳとＳ）（ＮとＮ）で反発する。前記圧縮されたコイルバネ（図２の８）も同時に反発する。荷重体（１）は磁石Ａ（２）と磁石Ｂ（３）の間で左右移動を繰り返す。強力な永久磁石の磁力とバネの反発力、リニア、システムの負荷軽減とソレノイド方式で発電する事を特徴とする磁力発電。
【発明の詳細な説明】
【技術分野】
【０００１】  本発明は磁力をエネルギー源としたもので、限られた資源を使用しない。危険を伴う排出物が無い。無公害で地球温暖化を阻止し、地球環境を最重視した磁力発電である。
【背景技術】
【０００２】  原子力発電は資源として、ウランを、再生としてプルトニウムが使われる。放射能の危険性、放射性物質や放射線の環境汚染は周知の事実である。天災、人為的ミス、テロ、その他有事の際は大変危険である。核燃料の場合、稼働時のみならず、使用後も高レベル、低レベル放射性廃棄物質の処分、埋設の問題がある。【０００３】  火力発電の資源は主に化石燃料でＬＮＧ、ＮＧＬ、ＬＰＧ、都市Ｇ、天然Ｇ、等の地下資源、天然資源が、燃焼使用される。資源を焼失し、同時に多くのＣＯ２、ＳＯＸ、ＮＯＸを排出し大気汚染する。発電効率も問題がある。【０００４】  資源消失は前記２点だが火力発電所の発電電力量の５８％の数字から考えても燃料焼失量が、いかに多いか推測出来る。付け加えれば、原子力発電所の発電電力量は３７％で２つ合わせると９５％にもなる。【０００５】  水力発電では資源や危険性、大気汚染の問題は無いが巨額のダム建設費が掛かり、且つ、立地条件、気象条件を要す。時として自然の景観を破壊し史跡や文化遺産をも湖底に沈める可能性もある。発電電力量は、わずか４％。【０００６】  その他の発電として太陽熱、風力、地熱等が有るが、発電電力量の合計はわずか、０．００６％、自然エネルギーなので資源消失は無いが、気象条件、立地条件に大きく左右される。風力の場合適性風量があり、無風は論外であるが風速２５Ｍを超えると停止させる。強風であれば良いと言う問題ではない。水力発電も気象条件、立地条件に左右される。雨量次第で水量不足の事もある。近年、ダム建設の適応場所の関係上、揚水式という一度落下した水を夜間電力を利用してポンプ、アップし、再利用する方式を取っているが、水量が多いだけに、資源面でも、コスト面でも相当な損失である。
【発明の開示】
【発明が解決しようとする課題】
【０００７】  何億年という長い年月を費して生まれた化石燃料を発電、発熱、又車輌、船舶、航空機等の燃料として一瞬のうちに、膨大な量を燃焼、焼失しているのが現状である。勿論、代償は得ているが、０００３でも記した様に大気汚染とその他重大な害も残している。石油紛争による戦争は悲劇である。火力発電の為に限りある資源を焼失し続ける事は大問題である。核分裂による原子力発電の功績は多大であるが、反面、０００２で記した様に、常に危険が付きまとう。天災、人災、テロ、有事危機という不安情勢の中で１００％絶対安全はありえない。水力発電の場合、巨額なダム建設費はさる事ながら、建設の為に地形を変え、時には史跡や文化遺産をも消し去る。風力や太陽熱、地熱の発電は立地条件、気象条件に大きく、左右される。発電は国の基幹産業であるからこそ、資源を焼失する事なく、地球温暖化を含む、大気汚染、地球全体に及ぼす環境汚染を１日も早く、阻止しなくてはならない。
【課題を解決するための手段】
【０００８】  本発明は磁力をエネルギー源とした磁力発電である。基本原理は磁力の特性である同極（ＮとＮ）（ＳとＳ）の反発力と対極（ＳとＮ）の吸引力の活用である。補助的役割りとして圧縮コイルバネを用いている。図１、図２で示す様に移動荷重体（１）（以降、荷重体という。）は移動を役割りとする強力な永久磁石であり、その左右には固定状態の磁石Ａ（２）と磁石Ｂ（３）がある。いずれも強力な永久磁石である。仮に磁石Ａ（２）と荷重体（１）が、ＳとＮの関係で互いに吸引し合うと強力な力で接近する。接近する強い力で、圧縮コイルバネ（８）圧縮され反発力が生じる。磁石Ａ（２）と荷重体（１）は完全密着では無く隙間が設けてある。その隙間に両磁石（２と１）が反発する磁極（ＳにはＳ）（ＮにはＮ）の絶縁遮蔽板（７）を差し込む事で両者は反発分離する。この時点で同時に圧縮コイルバネ（８）も反発する。磁極の反発力とバネの反発力により、荷重体（１）は磁石Ｂ（３）方向へ移動する。磁石Ｂ（３）側でも磁石Ａ（２）と全く同じ経緯がなされ荷重体（１）磁石Ａ（２）へ移動して戻る  この左右移動運動が荷重体（１）に付いている連係棒（４）の先端に付いている強力な永久磁石Ｃ（５）を連動させる。磁石Ｃ（５）の先にはソレノイド（円筒コイル）（６）が有り、円筒コイル（６）に磁石Ｃ（５）が出し入れする事で電流が流れる。これが磁力発電のシステムである。尚、荷重体（１）の移動は、リニアシステムのガイドレール（１０）上のキャリッジ（推進器）（９）に固定して左右移動する。
【発明の効果】
【０００９】  本発明の磁力発電は強力な永久磁石をエネルギー源としているので資源枯渇の心配が不要である。従来、限りある資源を焼失という形で代償を得ていたが、今後、その分、膨大な費用節減になる。同時に資源を長期有効活用が出来る。本発明は０００７に記載した全ての課題を解決し、地球温暖化を防ぎ、クリーンな地球環境を構築する。気象条件、立地条件に左右されず、小費用、小スペースで建設が可能な事から都会から遠く離れた場所に発電所建設の必要もなく、鉄塔、中継所、送電線も最少限で済む。当然送電ロスも少なく、冬場の鉄塔や送電線のメンテナンス面でも格段と少なくなる。危険性が無いので、大都会でも建設可能。分散効果として大停電等のライフ、ライン全面ストップも無くなり、復旧も容易に可能になり危機対策上も好ましい。
【発明を実施するための最良な形態】
【００１０】  本発明を図１の磁力発電平面図と図２の同、側面図（各水平型）に基づき説明する。説明に先立ち本文中の移動荷重体（１）磁石Ａ（２）磁石Ｂ（３）、磁石Ｃ（５）絶縁遮蔽板（７）は全て強力な永久磁石である事、それ以外は基本的には非磁性体を使用する。（止むを得ぬ場合は除く。）固定した磁石（２）と（３）の間に位置し、左右移動が可能であり、移動が役割りであるが移動荷重体（１）である。（以降荷重体（１）という。）動作は荷重体（１）のＮと磁石Ａ（２）のＳが、相互に吸引し合い接近する。この際、吸引力で圧縮コイルバネ（８）を圧縮する。接近した磁石Ａ（２）のＳと荷重体（１）のＮは密着した訳ではない。それは両磁石が接近しても密着出来ない隙間加工が施してあるからである。その隙間に両者が反発し合う磁極（ＳにはＳ、ＮにはＮ）の絶縁遮蔽板（７）を差し込む事で反発分離する。この時前記圧縮コイルバネ（８）も圧縮から反発する。こうした反発で荷重体（１）は磁石Ｂ（３）方向へ移動する。荷重体（１）のＳと磁石Ｂ（３）のＮが相互に吸引し合い接近する。この動作は、磁石Ａ（２）の接近時から反発分離の経緯と全く同じで磁石Ａ（２）方向へ移動する。移動方法はリニア、システムのガイドレール（１０）上のキャリッジ（推進器）（９）に荷重体（１）を固定させ、キャリッジ（９）移動する。リニア、システムの特性である重量物を高速、軽快、俊敏に移動し、摩擦負荷を軽減させる。この左右移動運動を無駄なく発電エネルギに繋げる為に本図面は左右が、同一対称になっている。即ち行く力も帰る力も本図面の両サイドで発電に繋げている訳である。荷重体（１）の上部（上部限定の必要はない。）には連係棒（４）が固定され、両先端には強力な永久磁石Ｃ（５）が付いている。その先にはソレノイド（円筒コイル）（６）があり、磁石Ｃ（５）を円筒コイル（６）に出し入れする事で電流が流れる。左右移動運動はこの為である。強力な永久磁石の磁力とバネの反発力、リニアシステムの負荷軽減とソレノイド方式の組合せに依る磁力発電である。
【図面の簡単な説明】
【００１１】
【図１】磁力発電平面図、（水平型）
【図２】磁力発電側面図（水平型）
【図３】磁力発電側面図（垂直型）
【符号の説明】
【００１２】１、移動荷重体（強力永久磁石）  ２、磁石Ａ（強力永久磁石）  ３、磁石Ｂ（強力永久磁石）  ４  連係棒  ５、磁石Ｃ、（強力永久磁石）、６、ソレノイド（円筒コイル）  ７、絶縁遮蔽板（強力永久磁石）、８、圧縮コイルバネ  ９、キャリッジ（推進器）  １０、ガイドレール、１１、絶縁被覆  １２、支柱、
【図１】
2009005571.tif 000003
【図２】
2009005571.tif 000004
【図３】
2009005571.tif 000005
【手続補正書】
【提出日】平成19年7月20日(2007.7.20)
【手続補正１】
【補正対象書類名】明細書
【補正対象項目名】００１１
【補正方法】変更
【補正の内容】
【００１１】
【図１】磁力発電平面図（水平型）
【図２】磁力発電側面図（水平型）
【図３】磁力発電側面図（垂直型）
【図４】磁力発電平面図（水平型ＩＩ）
【図５】磁力発電側面図（水平型ＩＩ）
【手続補正２】
【補正対象書類名】明細書
【補正対象項目名】００１２
【補正方法】変更
【補正の内容】
【００１２】１、移動荷重体（強力永久磁石）  ２、磁石Ａ（強力永久磁石）、３、磁石Ｂ（強力永久磁石）  ４、連係棒、５、磁石Ｃ（強力永久磁石）  ６、ソレノイド（円筒コイル）  ７、絶縁遮蔽板（強力永久磁石）  ８、圧縮コイルバネ  ９、キャリッジ（推進器）  １０、ガイドレール、１１、非磁性体被覆  １２、支柱、１３、ストッパー、
【手続補正３】
【補正対象書類名】図面
【補正対象項目名】図４
【補正方法】追加
【補正の内容】
【図４】
2009005571.tif 000006
【手続補正４】
【補正対象書類名】図面
【補正対象項目名】図５
【補正方法】追加
【補正の内容】
【図５】
2009005571.tif 000007
【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
本発明は強力な永久磁石を使用し、磁石の特性である吸引力と反発力を活用して左右移動運動（エネルギー）を引出しそのエネルギーをもって発電する磁力発電のエネルギー発生装置である。使用する永久磁石は現時点で磁気エネルギー最高とされる希土類金属含有のネオジムを用いるが、更に強度の磁気永久磁石が開発の場合はこの限りでは無い。図６は磁力発電平面図（水平型ＩＩＩ）で図７は磁力発電側面図（水平型ＩＩＩ）である。本発明は（１）の中央磁石（固定）を設け、その左右に（２）の移動磁石（２Ａ）と（２Ｂ）があり、中央磁石の磁気の力で交互に吸引され又離脱する機構である。交互移動の仕組みは着脱促進装置（７）にある。操作起動時図６、図７の状態にセットしておく。又各図の上部に（１１）、（１２）の番号が矢印で示しているが、これは、中央磁石（１）と（３）の両端磁石（固定）の磁気波及範囲を示したものである。２Ｂの移動磁石は３Ｂの磁気波及範囲に位置するので反発力で中央へ押し戻される。中央の磁気波及範囲に入った２Ｂの移動磁石は中央磁石の強力な吸引力で引き寄せられる。この際両者（１）と（２Ｂ）の間にある着脱促進装にぶつかり更に中央へ進む。この時既に（１）の中央磁石と（２Ａ）の移動磁石は着いた状態にある。然しこの（１）と（２Ａ）は完全密着ではなく、隙間がある。磁石が密着した場合、引き離す事は難しい。まして強力磁石の場合は更に困難であるが、隙間を設けた事で着脱促進装置を介して、２Ｂの移動圧力で２Ａの移動磁石は操作起動時の位置が真逆になる。この繰返しで移動磁石（２）は左右移動エネルギーを発生する。移動磁石（２）に加工された連係主軸（４）も当然左右移動する。主軸の末端には強力な永久磁石（５）が付いていてソレノイド（６）の中、外を出し入れする。こうして発電する。図８は反発部分をスプリング式（圧縮コイルバネ）にしたものだが、単純構造で一目瞭然である。本発明は磁石の特性の吸引、反発を活用し、着脱促進装置で左右交互移動する事を特徴とする磁力発電。
【手続補正２】
【補正対象書類名】明細書
【補正対象項目名】０００８
【補正方法】変更
【補正の内容】
【０００８】  本発明は磁力をエネルギー源とした磁力発電である。磁力の特性である吸引力と反発力を活用し、左右移動運動（エネルギー）を発生させる。中央に磁石を固定し、その左右に移動磁石を配置して、中央の磁石に対して左右の移動磁石が交互に吸引されては離れ、離れては、吸引される動作を繰返す。この移動磁石には一体加工として連係主軸が付いていて、その末端には強力永久磁石が取り付けてあり、その先にあるソレノイド（円筒コイル）の中、外を出し入れする事で電流が流れ発電する。これが磁力発電システムである。中央の磁石（１）は吸引の役割を両端磁石（３）は反発の役割をする。いづれも固定磁石で移動磁石（２）を吸引、反発で移動する役割である。前記の交互移動は着脱促進装置（７）に依るものである。図面内の２Ｂの移動磁石は中央から離れ３Ｂの固定磁石のそばに位置している。３Ｂは磁気の反発力で中央の磁気範囲内へ押し出す。移動磁石（２Ｂ）は中央磁石（１）の吸引で移動し、急接近する過程で途中にある着脱促進装置を押し退けて進む。既に中央に接近した位置の移動磁石（２Ａ）は押し出されて左端の３Ａのそばの位置に移動する。この状態は図面内容と真逆の位置に逆転した事になる。この繰返しを続けエネルギーは発生継続する。本説明含む００１０並びに特許請求の範囲での説明は図面の両端が磁石（３）である事を素に説明しているが、図８は磁石の反発力部分をスプリング（圧縮コイルバネ）に変えた図面である。スプリングは反応が直線なので設定しやすいが、磁気曲線の場合、変形曲線なので設定が微妙で難しい。磁石とスプリングの併用型も考えられるが反応曲線の誤差を調整する為には例えば二段構えの様なスプリングが必要となる。
【手続補正３】
【補正対象書類名】明細書
【補正対象項目名】００１０
【補正方法】変更
【補正の内容】
【００１０】  本発明を図６、図７に基づき稼動内容を説明する。図面中央に位置する中央磁石（１）と本装置の両端に位置する両端磁石（３）は固定である。残る磁石が移動磁石（２）であり、左側が（２Ａ）右側が（２Ｂ）である。起動時の移動磁石の位置は図の様に、中央磁石（１）の左側には移動磁石（２Ａ）が接近し、又右端の固定磁石（３Ｂ）の隣には（２Ｂ）の移動磁石が位置している。事前説明として各図の上部に（１１）（１２）の範囲を矢印で示した部分が有る。これは中央磁石（１）の磁気が波及する範囲（１１）と両端磁石（３）の磁気が波及する範囲（１２）を示したものである。起動時、右側の移動磁石（２Ｂ）は右端の磁石（３Ｂ）の範囲内に位置している為、反発力で中央磁石（１）側へ押し遣られる。次に移動磁石（２Ｂ）は中央磁石（１）の吸引力で引き寄せられるが、進行過程に障害物である着脱促進装置にぶつかり、押し退けながら中央磁石（１）に接近する。当装置にぶつかり押し退けたこの時中央磁石（１）をはさんだ反対側の移動磁石（２Ａ）は分離して左端の３Ａ方向へ弾き飛ばされ左端へ移動する。これが着脱促進装置（７）の役割である。この結果、状況は図面の状態と真逆である。この様に右から左へ、左から右へ移動して、左右移動エネルギーが発生する。移動磁石（２）には相方連係主軸が加工され、更にその先端には、強力永久磁石（５）が取り付けてあり、（６）のソレノイド（円筒コイル）の中、外を出入りする事で電流が流る。これが磁力発電である。移動磁力の摩擦負荷を防ぐ為、リニアシステムのガイドレール（１０）、キャリッジ（推進器）（９）を配備した。又密着磁石の分離は困難なのであえて隙間を設けた。
【手続補正４】
【補正対象書類名】明細書
【補正対象項目名】００１１
【補正方法】変更
【補正の内容】
【００１１】
【図１】磁力発電平面図（水平型）
【図２】磁力発電側面図（水平型）
【図３】磁力発電側面図（垂直型）
【図４】磁力発電平面図（水平型ＩＩ）
【図５】磁力発電側面図（水平型ＩＩ）
【図６】磁力発電平面図（水平型ＩＩＩ）
【図７】磁力発電側面図（水平型ＩＩＩ）
【図８】磁力発電側面図（水平型ＩＩＩスプリング反発方式）
【手続補正５】
【補正対象書類名】明細書
【補正対象項目名】００１２
【補正方法】変更
【補正の内容】
【００１２】  １、中央磁石（固定）  ２移動磁石（移動荷重体）（２Ａ左側、２Ｂ右側）  ３両端磁石（３Ａ左側、３Ｂ右側）  ４連係主軸（４Ａ左側、４Ｂ右側）  ５強力永久磁石（ソレノイド用）  ６、ソレノイド（円筒コイル）  ７、着脱促進操置  ８、緩衝装置  ９、キャリッジ（推進器）  １０、ガイドレール  １１、中央磁石（１）の磁気波及範囲  １２、両端磁石（３）の磁気波及範囲  １３、支柱
【手続補正６】
【補正対象書類名】図面
【補正対象項目名】図６
【補正方法】追加
【補正の内容】
【図６】
2009005571.tif 000008
【手続補正７】
【補正対象書類名】図面
【補正対象項目名】図７
【補正方法】追加
【補正の内容】
【図７】
2009005571.tif 000009
【手続補正８】
【補正対象書類名】図面
【補正対象項目名】図８
【補正方法】追加
【補正の内容】
【図８】
2009005571.tif 000010
【手続補正書】
【提出日】平成20年2月7日(2008.2.7)
【手続補正１】
【補正対象書類名】特許請求の範囲
【補正対象項目名】請求項１
【補正方法】変更
【補正の内容】
【請求項１】
本発明は平成１９年６月２５日提出の特許願の図３、磁力発電側面図（垂直型）で改良点を図９、磁力発電側面図（垂直型Ａ）として追加し本図に基づき説明する。本図はＡ、Ｂ、Ｃ、の３ブロックで構成されている。（図９並びに符号を参照）。
磁石昇降ブロック（Ａ）内の上部磁石（１）と下部磁石（２）が同じＮ極とＮ極を向い合わせている。（注．本説明で使用する磁石は全て希土類のネオジム又は同等以上の強力な磁力を有する永久磁石を指す。）そこで、上下に重なる両磁石は強力磁力で上下反発分離する。下部磁石（２）が下がる際、２つの運動を同時作用する。
１つは真下の回転ブロック（Ｂ）のクランク（８）を廻し車輪（７）を廻す。もう１つは磁石の右側に個定した連係主軸（６）を押し下げ、先端の強力永久磁石（１０）をその先に有るソレノイド（円筒コイル）（１１）へ挿入（往復して出し入れする事で発電作用を起す。）する。クランク（８）の運動は磁石（２）を上昇させる。この際、磁石（２）の左端側にある連動磁石誘導装置（４）のパイプ式（４Ｂ）が上部磁石（１）を所定位置へ戻す。又、上部磁石（１）は当初、反発力で上昇するが、自重の重力で下がり同じく誘導装置（４）のロープ式（４Ａ）で下部磁石（２）を引き上げる。磁石の反発力をクランクシャフトの上下運動と連動磁石誘導装置（４）（ロープ式４Ａ、パイプ式４Ｂ）の相乗効果により両磁石（１と２）を最大反発力を得る位置へ最接近する事が可能。強力な、永久磁石を活用し、反発力をエネルギー源とする機構を特徴とする磁力発電。
【手続補正２】
【補正対象書類名】明細書
【補正対象項目名】００１１
【補正方法】変更
【補正の内容】
【００１１】
【図１】磁力発電平面図（水平型）
【図２】磁力発電側面図（水平型）
【図３】磁力発電側面図（垂直型）
【図４】磁力発電平面図（水平型ＩＩ）
【図５】磁力発電側面図（水平型ＩＩ）
【図６】磁力発電平面図（水平型ＩＩＩ）
【図７】磁力発電側面図（水平型ＩＩＩ）
【図８】磁力発電側面図（水平型スプリング反発方式）
【図９】磁力発電側面図（垂直型Ａ）
【手続補正３】
【補正対象書類名】明細書
【補正対象項目名】００１２
【補正方法】変更
【補正の内容】
【００１２】Ａ、磁石昇降ブロック、Ｂ、回転ブロック、Ｃ、発電ブロック、１、上部磁石、２、下部磁石  ３、昇降用ガイドポール、４  連動式磁石誘導装置（４Ａ、ロープ式、４Ｂ  パイプ式）  ５  滑車  ６  連係主軸、７、車輪、８、クランク、９、風車（ラチェット）  １０、強力永久磁石（ソレノイド用）  １１、ソレノイド（円筒コイル）  １２  緩衝スプリング、１３、高架
【手続補正４】
【補正対象書類名】図面
【補正対象項目名】図９
【補正方法】追加
【補正の内容】
【図９】
2009005571.tif 000011